(57)【要約】  犬及びペットの排泄物収集の使い捨てシステムは、犬及び全てのペットの排泄物を容易に拾い上げられるようにする発明である。本発明は、単一のハンドル及びその上部に穴を有するシャベル（１）と、着脱可能かつ折り畳み可能なカバー（蓋）（２）と、２つの部分を接続するピン（３）と、運搬を容易にするためのプラスチックハンガー（４）を備え、補強された紙、プラスチック、アルミニウム、または環境を保護するために生物分解可能なポリスチレンで作られる。使い捨てシステムは、使用者が、心穏やかに、また、楽しく使用できるように、人工の匂いを付けてもよく、無臭としてもよく、多様な色及びデザインを有していてもよい。本発明の利点は、使用者が、犬及び全ての飼育動物の排泄物を手で触れることなく安全に集めることができ、この不便な動作を容易にできることである。また、細菌から環境を保護し、公衆衛生に寄与し、及び公共の場所をきれいに保つ。また、生物分解可能であり、環境を汚染することがない。また、着脱可能かつ折り畳み可能なカバー（蓋）を有し、容易に包装することができる。【選択図】図４
2020509742.tif 000002
【特許請求の範囲】
【請求項１】
犬及びペットの排泄物収集の使い捨てシステムであって、
上部に穴を持つシャベル（１）と、
折り畳み可能かつ取り外し可能であるカバー（蓋）（２）と、
前記２つの部分を連結するピン（３、図１の１）と、
プラスチックフック（４、図１の２）と、
を備え、
使い捨てシステムは、補強された紙、プラスチック、使い捨てポリエチレン、ポリスチレン、またはアルミニウムで作られる、
犬及びペットの排泄物収集の使い捨てシステム。
【請求項２】
請求項１に記載の犬及びペットの排泄物収集の使い捨てシステムであって、
シャベルは、
ハンドル（６）の上部に穴（図２の５）を有し、
左右に穴（３、４）を有し、カバー（蓋）を受け入れる２つの壁（凹部）を有する、
犬及びペットの排泄物収集の使い捨てシステム。
【請求項３】
請求項１または２に記載の犬及びペットの排泄物収集の使い捨てシステムであって、
カバー（蓋）（図３、図４の９）は、シャベル（図４の１０）のハンドルに挿入されてピン（１１）によって前記２つの部分を連結できるように、左右に穴（図３の７、８）を有する壁を有し、
指で押すだけでカバー（蓋）が持ち上がって排泄物を収集可能になる（図５の１２）、
犬及びペットの排泄物収集の使い捨てシステム。
【請求項４】
請求項１、２または３に記載の犬及びペットの排泄物収集の使い捨てシステムであって、
フック（図１の２）は、ハンドル（図２の６）の穴（図２の５）に挿入され、犬のストラップに吊されることで運搬を容易にする、
犬及びペットの排泄物収集の使い捨てシステム。
【請求項５】
請求項１、２、３または４に記載の犬及びペットの排泄物収集の使い捨てシステムであって、
環境を汚染しないように、使い捨てシステムが生物分解可能な材料であることによる特性を有する、
犬及びペットの排泄物収集の使い捨てシステム。
【請求項６】
請求項１、２、３、４または５に記載の犬及びペットの排泄物収集の使い捨てシステムであって、
美しく、かつ、犬の飼主及びその他全ての飼育動物ないしペットの飼主が楽しめるように、使い捨てシステムが、多様な人工の香りで特徴付けられるか無臭であり、種々の色、デザイン及びスケッチによって特徴付けられる、
犬及びペットの排泄物収集の使い捨てシステム。
【請求項７】
請求項１、２、３、４、５または６に記載の犬及びペットの排泄物収集の使い捨てシステムであって、
サイズは限定されないが、好ましくは寸法１５×２２ｃｍで製造される、
犬及びペットの排泄物収集の使い捨てシステム。
【請求項８】
請求項１、２、３、４、５、６または７に記載の犬及びペットの排泄物収集の使い捨てシステムであって、
生産コストを抑えるために、色及び匂いの特徴を維持したまま、カバー（蓋）なしで製造される、
犬及びペットの排泄物収集の使い捨てシステム。
【発明の詳細な説明】
【発明を実施するための形態】
【０００１】
犬及びペットの排泄物収集の使い捨てシステムは、運搬を容易にするために犬のストラップに掛けるプラスチックカフを通すための穴をハンドルの上部に有する小さなシャベルからなる発明である。本発明は、挿入するだけでシャベルに取り付けることができるカバー（蓋）を有し、カバー（蓋）は折り畳み可能かつ取り外し可能である。カバー（蓋）は、左右に穴を有する２つの壁を有し、シャベルの、穴を有する２つの対応する壁の間に挿入される。２つの部分は、２つの部分の穴に挿入されるピンによって接続され、指の圧力で蓋を閉じることができる。なお、システムは、ピンを用いなくても完全に機能することができる。推奨される寸法は１５×２２ｃｍであるが、サイズは限定されず、サイズを大きくしても小さくしてもよい。
【０００２】
この簡易なシステムは、犬及びその他全ての飼育動物、ペットの汚物ないし排泄物の飼主による収集が容易になるように設計されている。
【０００３】
製造に用いられる材料は、補強された紙、プラスチック、ポリエチレン、アルミニウム、あるいは生物分解可能なもので構成することができる。
【０００４】
本発明の利点は、手を触れることなく犬及びその他の飼育動物ないしペットの排泄物を収集し、細菌及び病気の伝染を予防し、通りや公園における不快な光景を回避することである。また、本発明は、生物分解可能にしてもよいので、本発明によって環境を汚染しないということである。
【０００５】
本発明は、使い捨てであるという特徴を有する。また、フックを犬のストラップに掛ければ、犬に運ばせることで容易に運搬することができる。また、本発明は、使用時に折り畳むことができ、例えば、ポケットに入れることで、本発明をより容易に運搬することができる。本発明は、果実または花の人工の香りを有してもよいし、無臭であってもよい。
【０００６】
本発明は、見た目及び匂いの両方において使用者が楽しめるように、多様な色、図ないしスケッチを有していてもよい。
【０００７】
本発明は、生産コストを下げるために、カバー（蓋）無しとし、シャベルのみを製造するようにしてもよい。あるいは、ピンを無くし、カバー（蓋）を挿入しだだけであっても使用することができる。
【図面の簡単な説明】
【０００８】
【図１】図１は、本発明の全体を示している。すなわち、カバー（蓋）、ピン（１）、及び運搬を容易にするためのフック（２）を有するシャベルを示している。本発明は、２つの主要部分からなる。ピン及びフック（図１）、主要部であるシャベル（図２）、カバー（蓋）（図３）、カバー（蓋）のシャベルへの挿入（図４）、及び、オープントップカバー（蓋）（図５）は、請求項に記載される。
【図２】図２は、シャベルと、カバーの、左右に穴（３、４）を有する２つの壁と、ハンドル（６）上の穴（５）を示している。
【図３】図３は、カバー（蓋）、及び、左右に穴（７、８）を有し、シャベルのハンドルに挿入される２つの壁を示している。
【図４】図４は、カバー（蓋）（９）がシャベル（１０）に挿入され、２つの部材がピン（１１）によって連結されて最終的な形になる様子を示している。
【図５】図５は、ハンドルの上部（１２）を押すことでカバー（蓋）が開く様子を示している。
【図１】
2020509742.tif 000003
【図２】
2020509742.tif 000004
【図３】
2020509742.tif 000005
【図４】
2020509742.tif 000006
【図５】
2020509742.tif 000007
【手続補正書】
【提出日】令和1年10月30日(2019.10.30)
【手続補正１】
【補正対象書類名】特許請求の範囲
【補正対象項目名】全文
【補正方法】変更
【補正の内容】
【特許請求の範囲】
【請求項１】
犬及びペットの排泄物収集の使い捨てシステムであって、
上部に穴を持つシャベル（１０）と、
折り畳み可能かつ取り外し可能であるカバー（蓋）（９）と、
前記２つの部分を連結するピン（１１）と、
プラスチックフック（２）と、
を備え、
使い捨てシステムは、補強された紙、プラスチック、使い捨てポリエチレン、ポリスチレン、またはアルミニウムで作られ、
カバー（蓋）（９）は、シャベル（１０）のハンドルに挿入されてピン（１１）によって前記２つの部分を連結できるように、左右に穴（７、８）を有する壁を有し、
指で押すだけでカバー（蓋）（９）が持ち上がって排泄物を収集可能になる、
犬及びペットの排泄物収集の使い捨てシステム。
【請求項２】
請求項１に記載の犬及びペットの排泄物収集の使い捨てシステムであって、
シャベル（１０）は、
ハンドル（６）の上部に穴（５）を有し、
左右に穴（３、４）を有し、カバー（蓋）（９）を受け入れる２つの壁（凹部）を有する、
犬及びペットの排泄物収集の使い捨てシステム。
【請求項３】
請求項１または２に記載の犬及びペットの排泄物収集の使い捨てシステムであって、
フック（２）は、ハンドル（６）の穴（５）に挿入され、犬のストラップに吊されることで運搬を容易にする、
犬及びペットの排泄物収集の使い捨てシステム。
【請求項４】
請求項１、２または３に記載の犬及びペットの排泄物収集の使い捨てシステムであって、
環境を汚染しないように、使い捨てシステムが生物分解可能な材料であることによる特性を有する、
犬及びペットの排泄物収集の使い捨てシステム。
【請求項５】
請求項１、２、３または４に記載の犬及びペットの排泄物収集の使い捨てシステムであって、
美しく、かつ、犬の飼主及びその他全ての飼育動物ないしペットの飼主が楽しめるように、使い捨てシステムが、多様な人工の香りで特徴付けられるか無臭であり、種々の色、デザイン及びスケッチによって特徴付けられる、
犬及びペットの排泄物収集の使い捨てシステム。
【請求項６】
請求項１、２、３、４または５に記載の犬及びペットの排泄物収集の使い捨てシステムであって、
サイズは限定されないが、好ましくは寸法１５×２２ｃｍで製造される、
犬及びペットの排泄物収集の使い捨てシステム。
【請求項７】
請求項１、２、３、４、５または６に記載の犬及びペットの排泄物収集の使い捨てシステムであって、
生産コストを抑えるために、色及び匂いの特徴を維持したまま、カバー（蓋）（９）なしで製造される、
犬及びペットの排泄物収集の使い捨てシステム。
【手続補正２】
【補正対象書類名】明細書
【補正対象項目名】０００８
【補正方法】変更
【補正の内容】
【０００８】
【図１】図１は、本発明の全体を示している。すなわち、カバー（蓋）、ピン（１１）、及び運搬を容易にするためのフック（２）を有するシャベルを示している。本発明は、２つの主要部分からなる。ピン及びフック（図１）、主要部であるシャベル（図２）、カバー（蓋）（図３）、カバー（蓋）のシャベルへの挿入（図４）、及び、オープントップカバー（蓋）（図５）は、請求項に記載される。
【図２】図２は、シャベルと、カバーの、左右に穴（３、４）を有する２つの壁と、ハンドル（６）上の穴（５）を示している。
【図３】図３は、カバー（蓋）、及び、左右に穴（７、８）を有し、シャベルのハンドルに挿入される２つの壁を示している。
【図４】図４は、カバー（蓋）（９）がシャベル（１０）に挿入され、２つの部材がピン（１１）によって連結されて最終的な形になる様子を示している。
【図５】図５は、ハンドルの上部（１２）を押すことでカバー（蓋）が開く様子を示している。
【手続補正３】
【補正対象書類名】図面
【補正対象項目名】図１
【補正方法】変更
【補正の内容】
【図１】
2020509742.tif 000008
【国際調査報告】
2020509742.tif 000009
2020509742.tif 000010